(57)【特許請求の範囲】
【請求項１】
生物学的試料を粉砕するユニットであって、
粉砕装置（１）の支持体（２）に取り付けることが可能な、異なる容積を有する少なくとも２つのチューブ（３）であり、各々の前記チューブ（３）が、対応する前記チューブ（３）の軸に沿った高さ（ｈ）を有し、粉砕される試料を含ませることを目的とした内部空間を含んでいる、前記チューブ（３）と、
前記少なくとも２つのチューブ（３，３ａ，３ｂ，３ｃ）を支持することが可能な支持体（２）と、歳差運動で支持体（２）を駆動する手段と、を含む粉砕装置（１）であり、前記支持体（２）が、円錐を描くように位置が変化する軸（４，Ｘ）を有し、各々の前記チューブ（３）に、前記歳差運動の間、前記チューブ（３）の同じ点（Ｐ）の両極端位置間の距離を、前記円錐の軸（Ｙ）上へ投影させることによって定義される運動（ｄ）を受けさせる、前記粉砕装置（１）と、
を含む前記ユニットであり、
前記粉砕装置（１）及び前記チューブ（３）が、前記チューブごとに、ｄ／ｈ割合が０．５５〜１の間であるように設計され、
前記支持体（２）が、固定部分（１１）と、前記固定部分（１１）に対して取り外し可能である少なくとも１つの取り外し可能部分（２９ａ，２９ｂ，２９ｃ）と、を含むことができ、
前記チューブ（３）が、前記固定部分（１１）に対する前記取り外し可能部分（２９ａ，２９ｂ，２９ｃ）の取り付け又は取り外しによって、前記固定部分（１１）に取り付けられるか又は固定部分（１１）から取り外されることが可能であるように、前記取り外し可能部分（２９ａ，２９ｂ，２９ｃ）に固定されたままであることが可能であるカラーを含み、
前記支持体（２）の前記少なくとも１つの取り外し可能部分が、複数の取り外し可能部分（２９ａ，２９ｂ，２９ｃ）を含み、
その各々の取り外し可能部分（２９ａ，２９ｂ，２９ｃ）には、複数の同一のチューブ（３ａ，３ｂ，３ｃ）を前記カラーで支持することが可能なように当該チューブ（３ａ，３ｂ，３ｃ）の本体の直径に実質的に対応した直径を有する開口部が設けられ、
各々の取り外し可能部分（２９ａ，２９ｂ，２９ｃ）の各々の開口部が、対応する異なるチューブ（３ａ，３ｂ，３ｃ）を前記カラーで支持する、
ことを特徴とする前記ユニット。
【請求項２】
前記粉砕装置（１）及び前記チューブ（３）が、前記チューブごとに、ｄ／ｈ割合が０．６〜０．８の間であるように設計される、
ことを特徴とする請求項１に記載のユニット。
【請求項３】
前記粉砕装置（１）及び前記チューブ（３）が、前記チューブごとに、ｄ／ｈ割合が０．６〜０．７の間であるように設計される、
ことを特徴とする請求項２に記載のユニット。
【請求項４】
前記少なくとも２つのチューブが、少なくとも１つの第１のチューブ（３ａ）を含み、その内部容積が、１〜３mLの間である、
ことを特徴とする請求項１〜３のうちのいずれか１項に記載のユニット。
【請求項５】
前記内部容積が、およそ２mL、である、
ことを特徴とする請求項４に記載のユニット。
【請求項６】
前記少なくとも２つのチューブが、少なくとも１つの第２のチューブ（３ｂ）を含み、その内部容積が、５〜１０mLの間である、
ことを特徴とする請求項１〜５のうちのいずれか１項に記載のユニット。
【請求項７】
前記少なくとも１つの第２のチューブ（３ｂ）の内部容積が、およそ７mLである、
ことを特徴とする請求項６に記載のユニット。
【請求項８】
前記少なくとも２つのチューブが、少なくとも１つの第３のチューブ（３ｃ）を含み、その内部容積が、１０〜２０mLの間である、
ことを特徴とする請求項１〜７のうちのいずれか１項に記載のユニット。
【請求項９】
前記少なくとも１つの第３のチューブ（３ｃ）の内部容積が、およそ１４mLである、
ことを特徴とする請求項８に記載のユニット。
【請求項１０】
前記チューブ（３）が、前記粉砕装置（１）の前記支持体（２）の開口部（２５、２６、３１ａ、３１ｂ、３１ｃ）又はハウジングに取り付けられることが可能であり、
前記開口部又はハウジングが、前記支持体（２）の前記軸（Ｘ）にセンタリングされた同じ円周に沿って位置する、
ことを特徴とする請求項１〜９のうちのいずれか１項に記載のユニット。
【請求項１１】
前記支持体（２）が、異なる直径を有する少なくとも２つの前記ハウジング又は前記開口部（２５，２６，３１ａ，３１ｂ，３１ｃ）を含む、
ことを特徴とする、請求項１０に記載のユニット。
【請求項１２】
前記異なる直径を有する少なくとも２つのハウジング又は開口部（２５ａ，２６ｂ）が、少なくとも部分的に並置される、
ことを特徴とする請求項１１に記載のユニット。
【請求項１３】
前記粉砕装置（１）が、前記支持体（２）に対して前記チューブ（３）の蓋（１４）を保つように、係止部材（３６ａ，３６ｂ，３６ｃ）を含み、前記係止部材（３６ａ，３６ｂ，３６ｃ）が、前記係止部材（３６ａ，３６ｂ，３６ｃ）の係止位置において、前記支持体（２）に取り付けられたチューブ（３）の蓋（１４）に当接することが可能な少なくとも１つの係止突起（３８ａ，３８ｂ，３８ｃ）を含む、
ことを特徴とする請求項１〜１２のうちのいずれか１項に記載のユニット。
【請求項１４】
前記粉砕装置（１）が、前記係止位置に前記係止部材（３６ａ，３６ｂ，３６ｃ）を保つことが可能な吸引手段（２８）を含む、
ことを特徴とする請求項１３に記載のユニット。
【請求項１５】
前記粉砕装置（１）が、前記支持体（２）が運動可能に取り付けられる固定のフレーム（６）を含み、
前記カバー（５）が、前記フレーム（６）に取り付けられて、前記フレーム（６）と共に、前記支持体（２）及び前記支持体（２）に取り付けられた前記チューブ（３）が収容される少なくとも１つのエンクロージャ（７）を定め、
前記粉砕装置（１）が、前記エンクロージャ（７）の内側に冷たい空気をもたらす手段（８，９，１０）を更に含む、
ことを特徴とする請求項１〜１４のうちのいずれか１項に記載のユニット。
【請求項１６】
前記カバー（５）が、内壁（１７）及び外壁（１８）を含み、それらの間に断熱空間（１９）が提供される、
ことを特徴とする請求項１５に記載のユニット。
【請求項１７】
前記断熱空間（１９）が、気体を含む、
ことを特徴とする請求項１６に記載のユニット。
【請求項１８】
前記気体が、空気である、
ことを特徴とする請求項１７に記載のユニット。
【請求項１９】
前記カバー（５）又は前記フレーム（６）が、前記カバー（５）と前記フレーム（６）との間の界面に封止を少なくとも部分的に提供するガスケット（２３）を含み、
前記界面が、空気が前記エンクロージャの外に出ることを可能にするために前記ガスケットのない少なくとも１つの領域を含む、
ことを特徴とする請求項１５〜１８のうちのいずれか１項に記載のユニット。
【請求項２０】
前記空気をもたらす手段が、前記カバー（５）上に取り付けられた空気を導入するノズル（９）を含み、
前記ノズル（９）が、前記エンクロージャ（７）内に出る、
ことを特徴とする請求項１５〜１９のうちのいずれか１項に記載のユニット。
【発明の詳細な説明】
【技術分野】
【０００１】
本発明は、生物学的試料を粉砕するユニットに関する。
【背景技術】
【０００２】
文献WO-A-2004/012851及びFR-A-2 872 233は、生物学的試料を粉砕する装置であって、粉砕される試料を含んだチューブのための支持体を形成するプレートと、歳差運動でプレートを駆動する手段と、を含む装置であり、プレートが、歳差運動の間に円錐を描くことによって位置が変化する軸を有する装置を開示する。
【０００３】
このような装置は、チューブホルダプレートを支持及びセンタリングするために一方の内側に他方が取り付けられた同心ベアリングを含み、これらのベアリングは、機器の弾性懸架部分とプレートを保持する駆動シャフトとの間に配置される。
【０００４】
試料を含むチューブが高周波数曲線往復運動を受け、チューブに含まれる試料が試料と共にチューブに含まれるマイクロビーズ、例えばガラス又はセラミック、によって粉砕及び均一化されるように、プレートは、駆動シャフトを中心とした回転に対して固定される。
【０００５】
このタイプの粉砕は、非常に効果的かつ高速であるが、チューブ内の試料の温度のかなり大きな増加という欠点を有する。試料を含むチューブが粉砕の前に冷却されるときでも、粉砕の終了時の試料の温度はおよそ６０゜〜７０゜の値に達するか又は超えることがあり得、この値では、試料のいくつかの特徴は不可逆的に変更される。これは、例えばタンパク質を有する場合であり、タンパク質の活性度は、タンパク質の配列とタンパク質の３次元構造との両方によって決定され、この構造は、加熱によって破壊される。
【０００６】
この欠点を解消するために、文献WO 2008/000962は、機器の折り畳み式カバーの内側に固定されたベル及びベルの内側に冷気をもたらす手段を含む、チューブを冷却する手段を更に含んだ上述したタイプの粉砕装置を開示する。
【０００７】
これらの冷却手段は、粉砕終了時にプラス２、３度の温度に試料を維持することを可能にし、その結果、これらの試料に含まれるタンパク質の３次元構造は、変質しない。
【０００８】
各々のタイプのチューブに対する最大の粉砕効果を保証しつつ、同じ粉砕装置で様々なタイプのチューブ、例えば異なる容積を有するチューブ、を使用することが可能である必要性が存在する。
【発明の概要】
【０００９】
この目的のために、本発明は、生物学的試料を粉砕するユニットであって、
−粉砕装置の支持体に取り付けることが可能な、異なる容積を有する少なくとも２つのチューブであり、各々のチューブが、対応するチューブの軸に沿った高さを有し粉砕される試料を含むことを目的とした内部空間を含むチューブと、
−前記少なくとも２つの異なるチューブを支持することが可能な支持体と、歳差運動で支持体を駆動する手段と、を含む粉砕装置であり、支持体が、円錐を描くことによって位置が変化する軸を有し、各々のチューブが、歳差運動の間、チューブの同じ点の極限位置間の距離の、前記円錐軸上への、投影によって定義される運動を受ける、粉砕装置と、
を含むユニットであり、
粉砕装置及びチューブが、チューブごとに、ｄ／ｈ割合が０．５５〜１の間、好ましくは０．６〜０．８の間、より優先的には０．６〜０．７の間であるように設計される、
ユニットに関する。
【００１０】
出願人によって実行された研究により、このような割合が、使用されるチューブのタイプに関係なく、最大の粉砕効果の保証を可能にすることを確立することが可能となった。
【００１１】
上述した研究が、０．６〜１の間にあるプレートで効果が比較的一定であることを明らかにしたことに留意されたい。好ましくは、プレートの開始時、すなわち最小の運動時（したがって、最大の効果を提供することを可能にする最小の割合ｄ／ｈ時）、すなわち０．６近くに置くように、選択される。このようにして、試料の粉砕のために必要なエネルギーは低減され、チューブ及び機器の劣化は防止される。
【００１２】
前記少なくとも２つのチューブは、少なくとも１つの第１のチューブを含み、その内部容積は、１〜５mLの間、好ましくはおよそ２mLである。
【００１３】
更に、前記少なくとも２つのチューブは、少なくとも１つの第２のチューブを含み、その内部容積は、５〜１０mLの間、好ましくはおよそ７mLである。
【００１４】
加えて、前記少なくとも２つのチューブは、少なくとも１つの第３のチューブを含み、その内部容積は、１０〜２０mLの間、好ましくはおよそ１４mLである。
【００１５】
更に、チューブは、機器の支持体の開口部ス又はハウジングに取り付けられることが可能であり、開口部又はハウジングは、支持体の軸にセンタリングされた同じ円周に沿って位置する。
【００１６】
この場合、支持体は、異なる直径を有する少なくとも２つのハウジング又は開口部を含むことができる。
【００１７】
異なる直径を有する少なくとも２つのハウジング又は開口部は、少なくとも部分的に、並置され得る。
【００１８】
好ましくは、支持体は、固定部分と、固定部分に対して取り外し可能である少なくとも１つの部分と、を含むことができ、チューブは、固定部分に対する取り外し可能部分の取り付け又は引っ張りによって固定部分に取り付けられるか又は固定部分から引き抜かれることが可能であるように取り外し可能部分に固定されたままであることが可能である。
【００１９】
このような特性は、すべてのチューブを容易に引き抜く又は嵌入させることを可能にする。
【００２０】
支持体は、第１及び第２の取り外し可能部分を含むことができ、各々が、複数の同一のチューブを支持することを目的とし、第１の取り外し可能部分は、いくらかのチューブを支持することを可能にし、第２の取り外し可能部分は、異なるチューブを支持することを可能にする。
【００２１】
粉砕装置はまた、支持体に対してチューブの支持面を保つように、係止部材の係止位置において、支持体に取り付けられたチューブの一端部に当接することが可能な少なくとも１つの係止突起を含んだ係止部材を含むことができる。
【００２２】
各々のチューブは、例えば、チューブの支持面を形成するカラーを含むことができ、係止突起は、支持体に当接したカラーを保つために、チューブの一端部、例えばチューブの蓋を支える。
【００２３】
この場合、粉砕装置は、係止位置に係止部材を保つことが可能な吸引手段を含むことができる。吸引手段が起動するとき、係止部材は、係止された位置にある。反対に、吸引手段が停止するとき、係止部材は、開放され、支持体から取り外され得る。このようにして、係止部材の係止又は開放が容易になる。
【００２４】
粉砕装置は、支持体が移動可能に取り付けられる固定フレームを含むことができ、カバーが、フレームに取り付けられて、前記フレームと共に、支持体及び支持体に取り付けられたチューブが収容される少なくとも１つのエンクロージャを定め、粉砕装置が、前記エンクロージャの内側に冷気をもたらす手段を更に含む。
【００２５】
この場合、カバーは、間に断熱空間が提供される内壁及び外壁を含むことができる。各々の壁は、フレームの方向に開放されたベルの形態を有することができる。
【００２６】
更に、断熱空間は、例えば空気などの、気体を含むことができる。
【００２７】
更に、カバー又はフレームは、カバーとフレームとの間の界面に封止を少なくとも部分的に提供するガスケットを含むことができ、前記界面は、気流がエンクロージャから出ることを可能にするためにガスケットのない少なくとも１つの領域を含む。
【００２８】
最後に、空気供給手段は、カバー上に取り付けられた空気導入ノズルを含むことができ、前記ノズルは、エンクロージャ内に出る。
【００２９】
非限定的な例として、添付図面を参照して行われる以下の説明を読むことで、本発明はより良く理解され、本発明の他の詳細、特性、及び利点は明らかとなるであろう。
【図面の簡単な説明】
【００３０】
【図１】本発明によるユニットの粉砕装置の概略図である。
【図２】支持体及び支持体上に取り付けられたチューブの２つの極限位置を例示した概略側面図である。
【図３】チューブの軸方向断面図である。
【図４】本発明によるカバーの斜視平面図である。
【図５】図４のカバーの軸方向断面図である。
【図６】特に支持体の固定部分を例示した粉砕装置の一部分の斜視図である。
【図７】第１のタイプのチューブの支持を目的とした第１の取り外し可能部分が支持体の固定部分上に取り付けられた、図６に対応する図である。
【図８】第１のチューブが第１の取り外し可能部分及び第１の固定部分に取り付けられた、図７に対応する図である。
【図９】第１の係止部材が第１の取り外し可能部分上に取り付けられて係止位置にある、図８に対応する図である。
【図１０】支持体の第２の取り外し可能部分、第２のタイプのチューブ、及び第２の係止部材の使用を示した、図７に対応する図である。
【図１１】支持体の第２の取り外し可能部分、第２のタイプのチューブ、及び第２の係止部材の使用を示した、それぞれ図８に対応する図である。
【図１２】支持体の第２の取り外し可能部分、第２のタイプのチューブ、及び第２の係止部材の使用を示した、それぞれ図９に対応する図である。
【図１３】支持体の第３の取り外し可能部分、第３のタイプのチューブ、及び第３の係止部材の使用を示した、それぞれ図７に対応する図である。
【図１４】支持体の第３の取り外し可能部分、第３のタイプのチューブ、及び第３の係止部材の使用を示した、それぞれ図８に対応する図である。
【図１５】支持体の第３の取り外し可能部分、第３のタイプのチューブ、及び第３の係止部材の使用を示した、それぞれ図９に対応する図である。
【図１６】複数の運動ｄに対する、上述したｄ／ｈ割合の関数としての粉砕の効果の変化を表したグラフである。
【発明を実施するための形態】
【００３１】
図１は、文献FR-A-2 872 233において説明される装置と類似した、周囲にチューブ３を保持し、歳差運動を起こすように駆動するシャフト４の端部に取り付けられた支持体２を本質的に含む粉砕装置１を示す。
【００３２】
シャフト４は、一方を他方の内側に取り付けた同心ベアリングのシステムによって、装置１の弾性懸架部分上に支持及びセンタリングされ、システムは、文献FR-A-2 872 233おいて説明されるように、シャフトによって保持され２つの軸方向に重なり合ったボールベアリングの内側で回転する旋回及びボールベアリングを含む。
【００３３】
装置１はまた、フレーム又は固定体６によって保持されるカバー５を含み、カバー５は、特にチューブ３を支持体２上に置くか又は前記チューブ３を外すための、支持体２への接近を可能にする開放位置と、チューブ３に含まれる試料を粉砕するための、支持体２及び支持体２上に取り付けられたチューブ３が収容されるエンクロージャ７をカバーが前記フレーム６によって定める閉鎖位置との間で、旋回することが可能である。係止手段は、試料を粉砕する間、図１に示される閉鎖位置にカバー５を保つことを可能にする。
【００３４】
チューブ３に含まれる試料が粉砕の間、チューブに含まれるガラス、セラミック、又は任意の他の好適な材料製のマイクロビーズによって、高温になるのを回避するために、粉砕装置１はまた、前記エンクロージャ７に冷気をもたらす手段を含む。これらの手段は、断熱導管１０、例えば外部ダクトによって、エンクロージャ７の内側に冷気を注入するノズル９に接続された冷気を生成するユニット８を特に含む。
【００３５】
支持体２は、より詳細には、円形プレートを形成する固定部分１１（特に図６参照）を含み、シャフト４は、前記プレート１１の中心から放射状に延在し、支持体２及びプレート１１の軸Ｘに沿って延在する。
【００３６】
図２は、歳差運動の間の支持体２の極限位置を示す。このような運動の間、軸Ｘを中心とした支持体２の回転は、阻止されるか又は制限される。しかしながら、このような歳差運動の間、シャフト４又は支持体２の軸Ｘは、周期的に軸Ｙの円錐に沿って移動する。図に示される実施形態では、軸Ｙは、水平であるが、水平線に対して傾斜することもできる。
【００３７】
チューブ３上の点Ｐを考慮すると、運動ｄは、チューブ３上の点Ｐの前記極限位置間の距離の、前記円錐軸Ｙ上への、投影によって表される。
【００３８】
図３は、実質的に円柱形状の中空体１２を含んだ、使用可能なチューブ３の一実施形態を示し、中空体１２は、一端部で開放され、開放端部と同じ側で外側へ放射状に延存し前記開放端部に対して軸方向に凹んで位置したカラー１３を含む。
【００３９】
また、蓋１４が、前記開放端部に螺合される。ｈは、チューブ３の底壁１５から蓋１４の底壁１６までのチューブ３の円柱形状の内部空間の高さ、すなわち前記内部空間の軸方向寸法を表す。
【００４０】
図４及び図５は、同心で一方が他方に取り付けられ、それらの間に、例えば空気などの、気体で充填された閉鎖絶縁空間１９を区画するベルの形態の内壁１７及び外壁１８を含んだ、カバー５の一実施形態を示す。
【００４１】
特に、各々の壁１７、１８は、実質的に円柱形状又は円錐台形状の、環状側面２０、及び略放射状に延在するか若しくは凸面若しくは凹面であることが可能な底面２１を含む。２つの壁１７、１８の側面２０の自由端部は、互いに封止して接続され、所謂底縁部２２を形成する。
【００４２】
冷気を注入するノズル９は、底面２１の中心に位置して、内壁１７及び外壁１８を通過し、前記ノズル９は、エンクロージャ７内に均一又は多方向に空気を注入することが可能である。
【００４３】
ガスケット２３（図５）は、底縁部２２の略全長に沿って延在する。カバー５の閉鎖位置では、底縁部２２及びガスケット２３は、固定フレーム６の支持領域に支えられる。底縁部２２は、気流がエンクロージャ７から出ることを可能にするように、ガスケット２３のない領域２４を含む。
【００４４】
図６は、支持体２の固定部分又はプレート１１を示し、前記固定部分１１は、外周に開口部を含む。より詳細には、固定部分は、第１の直径を有した１２個の開口部２５、及び断面が特定の輪郭を有した６つの開口部２６を含む。これは、開口部２６が第２の直径を有した中央円形開口部２６ａ及び第３の直径を有した２つの側面円形開口部２６ｂの並置又は重畳によって形成されるためである。したがって、各々の開口部２６は、中央部分２６ａ及び２つの側部分２６ｂを含む。
【００４５】
２つの開口部２５が、いずれの場合も２つの開口部２６の間で周方向に配置され、様々な開口部２５、２６が、互いに偏位し、全周にわたって均等に、実質的に同じ直径で分布する。支持体２の固定部分１１の中央部分２７は、フレーム６に収容された制御吸引ポンプ（図示せず）に接続される吸引ノズル２８を含む。
【００４６】
図７は、固定部分１１上への支持体２の第１の部分２９ａの位置決めを示す。第１の取り外し可能部分２９ａは、環状であり、第１のタイプのチューブ３ａ、すなわち１〜５mL間の、好ましくはおよそ２mLの、容積を有するチューブ３ａの本体の直径に実質的に対応した直径を有する総計で２４個の開口部３１ａが提供された放射面３０ａを含む。
【００４７】
第１の取り外し可能部分２９ａは、更に：
−固定部分１１に対する第１の取り外し可能部分２９ａの角度位置を決める手段、
−上方及び／又は下方に延在する凸型位置決めピン３２ａ、
−上方に延在して、係止部材のための支持体となる、開口部３１ａ間で円周にわたって均等に分布した６つの支持ピン３３ａ、
−下方に延在して、円周にわたって均等に分布した、作業面などの面に支えられるように使用される４つの舌片３５ａ、
を含む。
【００４８】
第１の取り外し可能部分２９ａの開口部３１ａは、開口部２５及び開口部２６の側部分２６ｂに対向して配置される。
【００４９】
図８は、支持体２上に、特に取り外し可能部分２９ａ及び固定部分１１の対応する開口部２５、２６、３１ａの内側に、取り付けられた第１のタイプのチューブ３ａを示す。
【００５０】
特に、取り付けは、以下のように行われ得る。
【００５１】
最初に、第１の可動部分２９ａが、水平面上に置かれ、結果として、舌片３５ａの自由端部が前記面上に載置される。次いで、カラー１３が放射面３０ａ上に載置されるまで、チューブ３ａの本体１２が、開口部２５、２６、３１ａ内に係合され得る。舌片３５ａの高さは、チューブ３ａがこの工程の間にチューブ３ａのカラー１３によって懸架されるように合わせられる。
【００５２】
次いで、第１の可動部分２９ａ及び第１のタイプのチューブ３ａによって形成されたアセンブリが、図８に示される位置で、支持体２の固定部分１１上に取り付けられ得る。
【００５３】
次いで、第１の係止部材３６ａが、第１の取り外し可能部分２９ａ及びチューブ３ａ上に位置決めされる。より詳細には、第１の係止部材３６ａは、突起３８ａが外へ放射状に延在する円形中央部分３７ａを含む。突起３８ａのいくつかは、間に広い凹部を区画し、凸型位置決めピン３２ａを導入するために使用される。このようにして、第１の係止部材３６ａの位置決めの後、突起３８ａが、チューブ３ａに対向して、より詳細にはチューブ３ａの蓋１４に対向して位置するかが点検される。
【００５４】
第１の係止部材３６ａの中央部分３７ａは、支持体２の固定部分１１の中央部分２７に対向して、より詳細には吸引ノズル２８に対向して位置する。このようにして、第１の係止部材３６ａが適所にあると、吸引ポンプは開始され、吸引ポンプは、チューブ３ａが放射面３０ａ上でそれらのカラー１４によって当接されたままとなるように、チューブ３ａの蓋１４上で第１の係止部材３６ａの突起３８ａを押圧する効果を有する。この場合はまた、係止部材３６ａの突起３８ａのいくつかは、支持体２の取り外し可能部分２９ａを係止するように、ピン３３ａ上に当接される。したがって、チューブ３ａは、チューブ３ａへの損傷の恐れなしに、支持体２の歳差運動の間、適所に効果的に保たれる。
【００５５】
図１０〜１２は、支持体２の第２の可動部分２９ｂ及び第２の係止部材３６ｂによる、第２のタイプのチューブ３ｂ、すなわち５〜１０mL間の、好ましくはおよそ７mLの、容積を有するチューブ３ｂの取り付けを示す。
【００５６】
第２の可動部分２９ｂは、開口部３１ｂの数及びサイズにより第１の可動部分２９ａとは異なる。したがって、第２の可動部分２９ｂは、１２つの開口部３１ｂを含み、開口部３１ｂの直径は、第２のタイプのチューブ３ｂの本体１２の外径に合わせられる。図１０に示される位置では、第２の可動部分２９ｂの開口部３１ｂは、固定部分１１の開口部２５に対向して配され、それらと同じ直径を有する。
【００５７】
したがって、第２の係止部材３６ｂの突起３８ｂの位置は、第２のタイプのチューブ３ｂ及び第２の取り外し可能部材２９ｂのピン３３ｂに対向して位置するように、図１２に示される位置において、相応に合わせられる。
【００５８】
図１３〜１５は、支持体２の第３の可動部分２９ｃ及び第３の係止部材３６ｃによる、第３のタイプのチューブ３ｃ、すなわち１０〜２０mL間の、好ましくはおよそ１４mLの、容積を有するチューブ３ｃの取り付けを示す。
【００５９】
第３の可動部分２９ｃは、開口部３１ｃの数及びサイズにより第１の可動部分２９ａとは異なる。したがって、第３の可動部分２９ｃは、６つの開口部３１ｃを含み、開口部３１ｃの直径は、第３のタイプのチューブ３ｃの本体１２の外径に合わせられる。図１３に示される位置では、第３の可動部分２９ｃの開口部３１ｃは、固定部分１１の開口部２６の中央開口部２６ａに対向して配される。
【００６０】
したがって、第３の係止部材２９ｃの突起３８ｃの位置は、第３のタイプのチューブ３ｃ及び第３の取り外し可能部材３６ｃのピン３３ｃに対向して位置するように、図１５に示される位置において、相応に合わせられる。
【００６１】
出願人は、一連の試験を実行した。この試験の目的は、粉砕の効果に対する、以下割合ｄ／ｈと表示される、チューブ３の高さｈに対する運動ｄの割合（ｄ及びｈは上で定義される）の影響を分析することであった。
【００６２】
この目的のために、粉砕の効果を、視覚的に評価した。出願人によって実行された研究では、レンズ豆の一粒を、粉砕される試料として使用した。粉砕が効果的であるほど、粉砕の後に得られる試料の粒子は微細である。得られる痕跡は、粉砕の効果とともに増加し、したがって粉砕の後に得られる粒子のサイズとともに減少する。
【００６３】
例として、図１６のグラフは、割合ｄ／ｈの関数としての粉砕の効果を示し、グラフ上の各々の点は、試験の結果である。様々な試験を実行する際に、割合ｄ／ｈ以外のパラメータ（ビーズのサイズ及び材料、チューブの材料、温度、支持体２の運動の速さなど）を、実質的に同一に維持した。
【００６４】
複数の運動、すなわち、特に２６mmの運動ｄ（グラフ上にｄ２６で示される点）、２３．５mmの運動ｄ（ｄ２３で示される点）、２１mmの運動ｄ（ｄ２１で示される点）、１８．５mmの運動ｄ（ｄ１８．５で示される点）、及び１６mmの運動ｄ（ｄ１６で示される点）を研究した。
【００６５】
割合ｄ／ｈが０．５５〜１の間、好ましくは０．６〜０．８の間、より優先的には０．６〜０．７の間であるときに、最大の効果が得られることがこの研究から明らかである。粉砕の効果は、上述した範囲の外側で大きく低減する。
【００６６】
０．６〜１の間にあるプラトーで効果が比較的一定であることに留意されたい。好ましくは、プラトーの開始時の位置、すなわち最小の運動の位置（したがって、最大の効果を提供することを可能にする最小の割合ｄ／ｈの位置）、すなわち０．６近くの位置が、選択される。このようにして、試料の粉砕のために必要なエネルギーは低減され、チューブ及び機器に対する何らかの損傷は防止される。
【００６７】
したがって、同じ運動のために、同じ周に位置する開口部及びチューブ３のために、上述の高さｈを有したチューブ３ａ、３ｂ、３ｃのタイプを使用することが必要である。
【図１】
0006686005.tif 000002
【図２】
0006686005.tif 000003
【図３】
0006686005.tif 000004
【図４】
0006686005.tif 000005
【図５】
0006686005.tif 000006
【図６】
0006686005.tif 000007
【図７】
0006686005.tif 000008
【図８】
0006686005.tif 000009
【図９】
0006686005.tif 000010
【図１０】
0006686005.tif 000011
【図１１】
0006686005.tif 000012
【図１２】
0006686005.tif 000013
【図１３】
0006686005.tif 000014
【図１４】
0006686005.tif 000015
【図１５】
0006686005.tif 000016
【図１６】
0006686005.tif 000017